(57)【要約】  全体がシート状部材１２により形成され、乳幼児が包持される包持部１６を具備し、装着する人の肩部に係合可能な肩係合部１５を具備したベビーキャリア１１であって、上記包持部１６を、伸縮性を有して形成し、上記包持部１６の上端部に、上記包持部１６に対して乳幼児を出し入れ可能とする開口部Ｂを形成し、上記開口部Ｂの開口縁部１２ａａに、該開口縁部１２ａａの伸縮を規制する伸縮規制手段１７を形成したベビーキャリア１１。【選択図】図１【特許請求の範囲】
【請求項１】
全体がシート状部材により形成され、乳幼児が包持される包持部を具備し、装着する人の肩部に係合可能な肩係合部を具備したベビーキャリアであって、
上記包持部を、伸縮性を有して形成し、
上記包持部の上端部に、上記包持部に対して乳幼児を出し入れ可能とする開口部を形成し、上記開口部の開口縁部に、該開口縁部の伸縮を規制する伸縮規制手段を形成した
ベビーキャリア。
【請求項２】
上記シート状部材を、伸縮性を有する一枚の面布で環状に形成し、
上記シート状部材を、該シート状部材の幅方向の中間部において折り返して、二層構造により形成した
請求項１に記載のベビーキャリア。
【請求項３】
上記開口縁部の長さを、上記シート状部材の周方向の長さよりも短く形成した
請求項２に記載のベビーキャリア。
【請求項４】
上記シート状部材を、編物により形成した
請求項１から請求項３のいずれか一項に記載のベビーキャリア。
【請求項５】
上記シート状部材を、伸縮性素材により形成した
請求項１から請求項４のいずれか一項に記載のベビーキャリア。
【請求項６】
上記シート状部材の周方向における上記包持部と上記肩係合部との間に、この間の伸縮を規制する伸縮規制手段を形成した
請求項１から請求項５に記載のベビーキャリア。
【請求項７】
上記シート状部材の周方向における上記包持部と上記肩係合部との間が、上記包持部から上記肩係合部に向けて、徐々に幅小になるように形成した
請求項１から請求項６のいずれか一項に記載のベビーキャリア。
【請求項８】
上記シート状部材における、装着する人の前身頃に相当する部位と、後身頃に相当する部位とを、互いに重合させたとき、面全体において互いに略一致する対称形状に形成した
請求項１から請求項７のいずれか一項に記載のベビーキャリア。
【請求項９】
上記シート状部材における上記肩係合部に、縫着部を形成し、
上記肩係合部に肩パッドを具備した
請求項１から請求項８のいずれか一項に記載のベビーキャリア。
【請求項１０】
上記開口縁部の伸縮を規制する上記伸縮規制手段を、上記シート状部材の周方向における上記肩係合部と上記包持部との間の上記開口縁部に形成した
請求項１から請求項９のいずれか一項に記載のベビーキャリア。
【請求項１１】
上記開口縁部の伸縮を規制する上記伸縮規制手段を、タックによって形成した
請求項３に記載のベビーキャリア。
【発明の詳細な説明】
【技術分野】
【０００１】
この発明は、乳幼児を抱っこするために用いる乳幼児用スリングとも称されるベビーキャリアに関する。
【背景技術】
【０００２】
上記ベビーキャリアは、乳幼児の成長、保護者の体格、或いは、使用用途などに応じて様々な取り付け形態で装着することができる。このように、利便性が高いことから、広く普及しつつある。  
最近では、従来の構成にさらに改良を加えたベビーキャリアに関する文献も開示されている。【０００３】
例えば、下記特許文献１に係る「乳幼児用スリング」が開示されている。  
上記「乳幼児用スリング」の構成は、長さ方向の両端部が絞られた形態に全体を略紡錘状に形成している。上記乳幼児用スリングの長さ方向における両端部の間には、乳幼児を包み込む保護部を具備している。上記保護部は、蛇腹状に折り畳まれ、伸縮自在に形成している。さらに、上記長さ方向の両端部には、該両端部どうしを連結可能とする連結手段を形成している。【０００４】
下記特許文献１によれば、上記保護部は、蛇腹状に形成されているため、その上に載せる乳幼児の体格、運動に応じて、該乳幼児を包み込める大きさに変動する旨の記載がされている。【０００５】
ところが、下記特許文献１における乳幼児用スリングは、次のような問題点が考えられる。  
上記保護部は、蛇腹状に形成して伸縮自在に形成されているものの、長さ方向の両端部は、絞られた形態で連結されている。さらに、上記乳幼児用スリングは、保護部に対して、襷掛けにより装着されるが、乳幼児用スリングを襷掛けにより保護者に装着した場合、該乳幼児用スリングにおける、特に保護者の脇腹に相当する部位は、保護者の脇腹に対して密着することになる。【０００６】
すなわち、上記保護部は、乳幼児用スリングの長さ方向における両端部の間に相当する長さを有して形成しているものの、実際には、保護者の身体に密着させて装着されているため、蛇腹状の保護部は、包み込む幼児のサイズに適した大きさまで充分、幅方向に広がらないこともあり、最悪、捩れてしまうおそれも有する。【０００７】
従って、乳幼児が保護部に包み込まれた状態において、保護部の長さ方向における両側に位置する乳児の頭部、若しくは、脚部側が特に、圧迫されることが想定され、乳児、保護者の双方にとって、快適な状態を確保することができない。【０００８】
また、このような保護部であれば乳幼児を充分に包み込むことができないため、乳幼児用スリングを装着した保護者が例えば、前屈みの姿勢となった場合など、乳幼児を上記乳幼児用スリングに安定して保持できないおそれを有する。【０００９】
逆に、保護者の身体に対して密着しすぎることがないようにゆったりと装着した場合、保護部は、乳幼児の自重により蛇腹が伸びて下方に膨出した形態となる。  
このため、乳幼児は、下方に膨出した形態の保護部に包み込まれた場合、保護部の内部において、過度に首部や、腹部が屈曲した姿勢を強いられることになる。【００１０】
また、保護者の身体に安定して取り付いていないため、保護者にとっても快適な装着状態とはいえない。【００１１】
さらにまた、上記乳幼児用スリングは、例えば、「対面縦抱き」などの保護部が乳幼児の背面側（臀部、及び、背部）のみ包み込む抱き方、すなわち、乳幼児と保護者とは、保護部を介さずに直接、対面する抱き方で保護者に対して装着することができる。【００１２】
すなわち、「対面縦抱き」などの抱き方の場合、保護者と乳幼児とは直接、接触することとなり、該保護者と乳幼児の間には、保護部を介さない抱き方になる。このため、保護者は、常に、幼児を自分の側へ密着させるよう抱きかかえておく必要があった。【００１３】
また、他のベビーキャリアに関連するものとして下記特許文献２において「幼児を抱く帯」が開示されている。上記乳幼児を抱く帯は、内布と外布とを２重にして長さ方向の一部位で縫着して輪を形成している。さらに、上記輪には、上記２枚の布を束ねるリングを具備している。【００１４】
上記幼児を抱く帯は、上記輪の周方向における、上記リングと上記縫着部との間の一方の側の部位を肩部に掛けるとともに、他方の側の部位により幼児を抱きかかえて用いられる。【００１５】
下記特許文献２における幼児を抱く帯は、上述したように上記２枚の布を重合して形成することにより、積極的に幅広にすることができる。このため、乳幼児を安定して支えることができる。【００１６】
しかし、上記輪は、２枚の布を用いることにより、その幅を広げ易くなるが、単に、上記２枚の布を重合した状態であるため、例えば、装着時に幼児が動いた場合などにおいて、該２枚の布が互いにずれた状態になるおそれも有する。【００１７】
従って、逆に、乳幼児の安全面の観点から課題を有するといわざるを得ない。また、これに付随して、保護者は、少なくとも一方の腕で乳幼児を下側から支持する必要があり（特許文献２における図１参照）、抱き方によっては、上記２枚の布が互いにずれ易くなるため、抱き方が制限されてしまうといった課題も招来する。【００１８】
【特許文献１】特開２００３−４７５４２号公報
【特許文献２】実開平５−２０６６５号公報
【発明の開示】
【発明が解決しようとする課題】
【００１９】
そこで本発明では、乳幼児の安全性を確保しつつ、保護者にとっても、乳幼児にとっても、快適に用いることのできるベビーキャリアの提供を目的とする。
【課題を解決するための手段】
【００２０】
請求項１における発明によれば、ベビーキャリアは、全体がシート状部材により形成され、乳幼児が包持される包持部を具備し、装着する人の肩部に係合可能な肩係合部を具備したベビーキャリアであって、上記包持部を、伸縮性を有して形成し、上記包持部の上端部に、上記包持部に対して乳幼児を出し入れ可能とする開口部を形成し、上記開口部の開口縁部に、該開口縁部の伸縮を規制する伸縮規制手段を形成したことを特徴とする。【００２１】
上記シート状部材の殊に上記包持部を、伸縮性を有して形成するための一例として、上記シート状部材を、編物により形成することが挙げられる。【００２２】
具体的に、上記包持部は、例えば、緯編み、デンビー編（トリコット）などの編み方をはじめ、他の伸縮性を確保できる形成方法により形成することができる。【００２３】
また、上記包持部を、例えば、ナイロンなどの伸縮性素材により形成してもよい。【００２４】
このように、上記シート状部材の殊に上記包持部を編物により形成すれば、仮に、伸縮性を有しない素材であっても、編物を構成する組織自体が伸縮性を有するため、シート状部材の伸縮性を確保することができる。【００２５】
その他にも、上記包持部を、ゴムシートなど伸縮性の有する部材を用いて形成することが挙げられる。【００２６】
このように、上記シート状部材の殊に上記包持部を、伸縮性素材を用いて形成すれば、素材自体が伸縮するため、シート状部材の伸縮性を確保することができる。【００２７】
なお、上記包持部、或いは、上記シート状部材の上端部とは、例えば、上記ベビーキャリアを、いわゆる「ゆりかご抱き」によって保護者に対して装着したとき、包持部の幅方向（上下方向）における上端側に相当する縁部を示す。【００２８】
また、上記開口縁部の伸縮を規制する上記伸縮規制手段は、例えば、縫い目（縫着部）で形成することができる。上記開口縁部に縫い目を形成することにより、この縫い目を形成した部位の伸縮を規制することができ、結果的に、上記開口縁部の伸縮を規制することができる。【００２９】
この縫い目を形成するために用いる縫い糸には、伸縮性のある糸を用いても上記開口縁部の伸縮を規制できる。【００３０】
このように、ナイロン糸など伸縮性のある糸を使用した場合、上記伸縮規制手段により規制しても、該規制した部位の糸は、適度に伸縮することにより、糸に作用する引張り力は吸収されるため、糸が切断してしまうことを阻止することができる。【００３１】
上記縫い目を形成する際には、上記開口縁部に、後述するタック形状に形成した状態で縫い目を形成したり、プリーツを形成した状態で縫い目を形成したりしてもよい。【００３２】
また、開口縁部に熱を付与して熱変形させることにより伸縮を規制する手段も含む。さらに、上記伸縮規制手段には、開口縁部にパイピング加工やステッチを施すことを含む。【００３３】
請求項１における発明によれば、上記包持部は、伸縮性を有して形成しているため、乳幼児を包持したとき、乳幼児の体形、体格に応じて形状が伸縮する。このため、上記包持部は、乳幼児、及び、保護者の身体へ密着し、乳幼児が動いても安定して包み込むことができる。【００３４】
さらに、上述した構成により、包持部の内部で乳幼児が立ち上がった場合であっても、包持部は、伸張し、包持部の内部の深さを深めることができる。このため、乳幼児が包持部の外側へ落ちないよう乳幼児を保護することができる。【００３５】
しかも、上述した構成により、乳幼児は、包持部の内部において圧迫感を感じることがない。【００３６】
また、装着した人は、包持部の内部の乳幼児を自らの身体に容易に密着させることができる。【００３７】
このため、装着する人が乳幼児を抱いたときの負担を極力、抑えることができ、包持部内に収容した乳幼児の安定性も増すことができる。【００３８】
しかも、開口部の開口縁部には、伸縮規制手段を形成している。このため、開口縁部が不必要に伸張したり、弛緩したりしないよう、開口縁部の伸縮を規制することができる。【００３９】
従って、上記包持部は、伸縮性を有するが、開口部が開口しすぎることがないように保つことができ、開口部を通じて、乳幼児が落下してしまうこともない。【００４０】
請求項２における発明によれば、ベビーキャリアは、上記シート状部材を、伸縮性を有する一枚の面布で環状に形成し、上記シート状部材を、該シート状部材の幅方向の中間部において折り返して、二層構造により形成することが好ましい。【００４１】
このようにシート状部材を、伸縮性を有する一枚の面布で環状に形成することにより、着脱の度にバックルなどの連結部材で連結したり、離間したりする必要がなく、襷掛けにより容易に装着することができる。【００４２】
さらに、包持部に縫着部を形成せずに、シート状部材の幅方向の中間部を折り返して二層構造で形成しているため、上記縫着部によって上記包持部の伸縮が阻害されることがない。【００４３】
従って、上記包持部を、乳幼児の体形に応じて柔軟に伸縮させることができ、包持部の内部の乳幼児の快適性を、より一層、増すことができる。【００４４】
さらに、上記包持部により、乳幼児は、背面側からのみ包み込まれるのではなく、保護者と対面する間にもシート状部材が存在するため、この保護者と対面する側からも含めて包み込まれることになる。このため、例えば、保護者と包持部との間から乳幼児がズレ落ちてしまうなどといった事態を防ぐことができる。【００４５】
また、請求項３における発明によれば、ベビーキャリアは、上記開口縁部の長さを、上記シート状部材の周方向の長さよりも短く形成することが好ましい。【００４６】
このように開口縁部の長さを上記シート状部材の周方向の長さよりも短く形成することで、包持部が伸張しても、開口部の大きさを小さく留めておくことができる。このため、包持部の内部の乳幼児を、開口部から落下しないよう包持することができる。【００４７】
ここで、上記開口縁部の長さを、上記シート状部材の周方向の長さよりも短く形成するための好ましい構成として、例えば、上記開口縁部の伸縮を規制する上記伸縮規制手段を、タックによって形成することが挙げることができる。【００４８】
さらに、上記開口縁部の所定部位を、谷折と山折を交互に繰り返して形成し、上記交互に折り返した部位を縫着することによりプリーツを形成しても、上記開口縁部の長さを、短く形成することができる。【００４９】
その他にも、テープ、ベルト、ゴム紐などの長尺部材、バックル、ホック、スナップ、面ファスナ、スライドファスナ、ボタンなどの固定手段、或いは、これらを組み合わせたものを具備して構成することができる。【００５０】
上記開口縁部の伸縮を規制する上記伸縮規制手段を、上述したようにタック、或いは、プリーツにより形成すれば、シート状部材の周方向の長さを短くした状態に留めておくことができるとともに、該開口縁部の伸縮を規制することもできる。【００５１】
さらに、上記伸縮規制手段を、タック、或いは、プリーツにより形成すれば、伸縮を規制するための別部材を具備することもなく、開口縁部の一部位を基本的に縫着するだけで容易に形成することができる。【００５２】
また、請求項６における発明によれば、上記ベビーキャリアは、上記シート状部材の周方向における上記包持部と上記肩係合部との間に、この間の伸縮を規制する伸縮規制手段を形成することもできる。【００５３】
上記包持部と上記肩係合部との間の伸縮を規制する上記伸縮規制手段についても、上述した開口縁部の伸縮を規制する上記伸縮規制手段と同様に、縫い目（縫着部）を形成すること、或いは、パイピング加工やステッチを施すことを含み、さらに、開口縁部に熱を付与して熱変形させるなどの手段により伸縮を規制することができる。【００５４】
このように、シート状部材の周方向における包持部と肩係合部との間の伸縮を規制する伸縮規制手段を形成することにより、襷掛けしたとき、殊に、荷重がかかり易い、この包持部と肩係合部との間の部位が伸張しすぎないよう規制することができる。これにより、包持部がズレ下がるなど、ベビーキャリアの型崩れしてしまうこと、或いは、破損してしまうことを防止することができる。【００５５】
上記包持部と上記肩係合部との間の伸縮を規制する上記伸縮規制手段は、特に、シート状部材における上記包持部と上記肩係合部との間の上端部側（開口端部側）、及び、下端部側（シート状部材の幅方向の折り返し側）において形成すれば、この上下各端部の伸縮規制手段によって、さらにしっかりとシート状部材の伸縮を規制することができる。【００５６】
ここで、上記開口縁部の伸縮を規制する上記伸縮規制手段を、上記シート状部材の周方向における上記肩係合部と上記包持部との間の上記開口縁部に形成することにより、開口縁部の伸縮を規制する上記伸縮規制手段は、シート状部材における上記包持部と上記肩係合部との間の伸縮を、この間の上端部側から規制することができる。【００５７】
また、請求項７における発明によれば、上記ベビーキャリアは、上記シート状部材の周方向における上記包持部と上記肩係合部との間が、上記包持部から上記肩係合部に向けて、徐々に幅小になるように形成ことが好ましい。【００５８】
このように形成すれば、肩係合部は、装着する人の肩部に対応した幅となるため、該肩部に掛け易くなり、良好な取り付け状態を得ることができる。また、外見上も、見栄えよく装着することができる。【００５９】
また、シート状部材の周方向における包持部と肩係合部との間を、徐々に幅小に形成することにより、一部位にのみ集中的に荷重がかかることを回避することができる。【００６０】
また、請求項８における発明によれば、上記ベビーキャリアは、上記シート状部材における、装着する人の前身頃に相当する部位と、後身頃に相当する部位とを、互いに重合させたとき、面全体において互いに略一致する対称形状に形成することもできる。【００６１】
このように形成すれば、装着した人の前身頃と後身頃との各部に密着させることができる。これにより、包持部に収容した乳幼児の安定性も向上することになる。【００６２】
また、請求項９における発明によれば、ベビーキャリアは、上記シート状部材における上記肩係合部に、縫着部を形成し、上記肩係合部に肩パッドを具備することが好ましい。【００６３】
このように上記シート状部材における上記肩係合部に、縫着部を形成することにより、肩係合部が不必要に伸縮しないよう規制することができる。また、殊に荷重を受け易い肩係合部を補強することができる。【００６４】
しかも、ベビーキャリア製造時に、平面状の上記シート状部材を環状にするが、その時に、上記シート状部材を肩係合部において縫着することにより、環状とすることができる。【００６５】
このように肩係合部において縫着部を形成することで、シート状部材における前身頃に相当する部位と、後身頃に相当する部位とは、互いに一致するよう形成することができ、共通のシート状部材の構成部材で形成することができる。【００６６】
従って、製造コスト、労力の効率化を図ることができる。【００６７】
また、肩係合部に縫着部を形成しても、肩パッドを具備することにより、肩部に肩係合部を係合したとき、縫着部が局所的に肩部に当接して装着した人に違和感を与えることがなく、装着時の快適性を確保することができる。
【図面の簡単な説明】
【００６８】
【図１】本実施例におけるベビーキャリアを装着した状態を示す外観図。
【図２】本実施例におけるベビーキャリアの外観図。
【図３】本実施例におけるベビーキャリアの正面図。
【図４】本実施例におけるベビーキャリアの右面図。
【図５】本実施例におけるベビーキャリアの左面図。
【図６】本実施例におけるベビーキャリアの平面図。
【図７】本実施例におけるベビーキャリアの底面図。
【図８】図３のＸ−Ｘ端面図。
【図９】図３のＹ−Ｙ端面図。
【図１０】本実施例におけるベビーキャリアを展開させた状態の正面図。
【図１１】本実施例におけるベビーキャリアを展開させた状態の右側面図。
【図１２】本実施例におけるベビーキャリアを展開させた状態の平面図。
【図１３】本実施例におけるベビーキャリアを展開させた状態の底面図。
【図１４】本実施例におけるベビーキャリアの製造方法の説明図。
【図１５】本実施例におけるベビーキャリアを襷掛けした状態を示す外観図。
【図１６】本実施例におけるベビーキャリアの使用説明図。
【図１７】本実施例におけるベビーキャリアの使用説明図。
【図１８】本実施例におけるベビーキャリアの作用説明図。
【図１９】本実施例におけるベビーキャリアの使用説明図。
【図２０】本実施例におけるベビーキャリアの使用説明図。
【符号の説明】
【００６９】
１１    ベビーキャリア
１２    シート状部材
１３    外面布
１４    内面布
１５    肩係合部
１６    包持部
１７ａ，１７ｂ，１７ｃ    タック
１２ａａ    開口縁部（上端縁部）
２１    下端縫着部
２２    肩部縫着部
２３    肩パッド
Ｂ    開口部
【発明を実施するための最良の形態】
【００７０】
この発明の一実施形態を、以下図面を用いて説明する。  
図１は、本実施例におけるベビーキャリア１１を、いわゆる「ゆりかご抱き」と称する抱き方によって保護者に対して装着している様子を示す。【００７１】
上記図１に示すベビーキャリア１１は、全体をシート状部材１２により形成しているが、このシート状部材１２は、面布どうしを重合させた二層構造により形成している。ここで、図２に示したように、上記シート状部材１２における外側に有する側の面布を外面布１３に設定するとともに、内側に有する側の面布を内面布１４に設定する。【００７２】
上記シート状部材１２は、伸縮性や弾力性に富むナイロンと、肌触りが良好な綿とを組み合わせて形成した編物である。【００７３】
なお、ベビーキャリア１１製造時に、このナイロンと綿とは、これらが繊維状（フィラメント状）の段階で、或いは、糸状とした段階で互いに組み合わせることができる。【００７４】
上述したように、上記シート状部材１２は、ナイロンを素材に用い、面全体を編地で形成しているため、優れた伸縮性を発揮することができる。【００７５】
このように、上記シート状部材１２は、優れた伸縮性を有して形成できるのであれば、例えば、ポリウレタン弾性糸など他の伸縮性に優れた繊維、糸を用いて形成してもよい。【００７６】
また、上記シート状部材１２は、例えば、丸編などの緯編み、デンビー編（トリコット）、ラッセルレースなどの経編、ゴム編（リブ編）などの編み方をはじめ、他の伸縮性を確保できる形成方法により形成することができる。【００７７】
さらにまた、上記シート状部材１２は、上述したように綿を素材として用いる他にも、例えば、カシミア、ウール、シルクなど他の肌触りのよい素材を用いて形成してもよい。【００７８】
また、上記ベビーキャリア１１は、上記図２に示したように、環状（筒状）の形態により形成している。すなわち、上記ベビーキャリア１１は、環状の形態をしたベビーキャリア１１の軸方向における中央部には、保護者が襷掛けが可能とする装着用貫通口Ａを有している。【００７９】
さらに、上記ベビーキャリア１１は、図３から図７に示したように、周方向における一部位を、保護者の左右いずれか一方の肩部に係合可能な幅を有した肩係合部１５を具備している。  
ちなみに、図３から図７は、それぞれ、ベビーキャリア１１における上記装着用貫通口Ａに対して両側で対向する部位を互いに面接触させたときの正面図、右側面図、左側面図、平面図、底面図である。  
なお、ベビーキャリア１１の背面図は、正面図と対称にあらわれるため、省略する。【００８０】
さらにまた、上記ベビーキャリア１１は、その周方向における、該ベビーキャリア１１を保護者に襷掛けしたとき、保護者の前身頃、及び、後身頃に相当する各部位に、乳幼児を包持可能な包持部１６を具備している。【００８１】
上記ベビーキャリア１１の周方向における上記肩係合部１５と上記包持部１６との間は、上記図３に示したように、上記包持部１６から上記肩係合部１５へ向けて徐々に幅小になるよう形成している。【００８２】
上記ベビーキャリア１１は、保護者が襷掛けしたとき、上記包持部１６の上端部に、乳幼児を上記包持部１６に対して出し入れ可能な開口部Ｂを開口可能に形成している（図２参照）。【００８３】
すなわち、保護者が上記ベビーキャリア１１を、図１に示したように「ゆりかご抱き」で装着したとき、上記包持部１６の上端側に位置する上端縁部が、開口部Ｂの開口縁部１２ａａとなる部位である。【００８４】
さらに、上記ベビーキャリア１１の周方向における上記肩係合部１５と上記包持部１６との間の上記開口縁部１２ａａには、図３、及び、図４における要部拡大図に示したようにタック形成部１７を構成している。【００８５】
上記タック形成部１７は、上記シート状部材１２における保護者の前身頃に相当する部位と後身頃に相当する部位とのそれぞれの外面布１３と内面布１４に形成され、開口縁部１２ａａに合計４箇所に形成されている。各タック形成部１７は、３つのタック１７ａ，１７ｂ，１７ｃから成る。【００８６】
また、上記シート状部材１２には、図８、及び、図９に示したように、各タック１７ａ，１７ｂ，１７ｃに相当する部位が溝状に形成され、上記包持部１６全体が乳幼児を包持し易い立体形状になるよう弛緩させて形成することができる。【００８７】
なお、図８は、図３のＸ−Ｘ端面図を示し、図９は、図３のＹ−Ｙ端面図を示す。【００８８】
上記タック１７ａ，１７ｂ，１７ｃは、開口縁部１２ａａにおいて、その一部を抓み、その抓んだ部位は、その周縁に重合させた状態で縫着することにより形成している（図１１の要部拡大図参照）。【００８９】
このように、開口縁部は、絞られるため、上記開口縁部の長さは、上記シート状部材の周方向の下端側の長さよりも短く形成されることとなる。【００９０】
但し、上記開口縁部１２ａａには、上記タック１７ａ，１７ｂ，１７ｃに限らず、その他にもテープ、ベルト、ゴム紐などの長尺部材、バックル、ホック、スナップ、面ファスナ、スライドファスナ、ボタンなどの固定手段、或いは、これらを組み合わせたものを具備することができる。さらには、開口縁部１２ａａを熱を付与して熱変形させてもよい。さらにまた、開口縁部１２ａａを折畳み、或いは、伸張可能に谷折と山折とを交互に繰り返して形成したプリーツ形状で形成してもよい。このように、開口部が不必要に大きくならないよう開口縁部１２ａａには、その伸縮を規制することができる手段を具備することができる。【００９１】
続いて、二層構造のシート状部材１２を一層構造へ展開させたとき、すなわち、互いに重合する外面布１３と内面布１４とを互いに離間させたときの形態をもとに、上記ベビーキャリア１１の形態について図１０から図１３を用いて説明する。【００９２】
なお、図１０は、ベビーキャリア１１を展開させた状態における正面図、及び、背面図を示し、図１１、図１２、図１３はそれぞれ、上記ベビーキャリア１１の右側面図、平面図、底面図を示す。ベビーキャリア１１の左側面図は、右側面図と同様にあらわれるため、省略する。【００９３】
すなわち、ベビーキャリア１１は、シート状部材１２を二層構造から一層構造へ展開させたとき、上下方向へ伸びる中間線部１８に対して上記外面布１３と上記内面布１４とが左右対称になる形態となる。【００９４】
シート状部材１２は、縫製前の工程においては、図示しないが当然、平面状の形態をしており、その長さ方向の両端部どうしを縫着して肩部縫着部２２を形成し、図１０、及び、図１２に示したような環状に形成している。この上記肩部縫着部２２は、シート状部材１２の同方向における肩係合部１５に位置する部位に形成している。【００９５】
また、シート状部材１２は、上記中間線部１８に対して上記内面布１４を上記外面布１３の内側へ折り込み可能に形成している。【００９６】
ちなみに、ベビーキャリア１１は、上述したように中間線部１８に対して両側に有する面布のうち、いずれの側の面布を他方の側の面布の内側に織り込んだ場合であっても、同一の形態を採る二層構造を構成することができる。このようにして、二層構造としたとき、環状の形態を採るベビーキャリア１１における外周側に位置する面布が上記外面布１３に相当し、内周側に位置する面布が上記内面布１４に相当することになる。【００９７】
さらに、上記シート状部材１２における中間線部１８は、上記外面布１３と内面布１４とを上述したように互いに重合させたとき、ベビーキャリア１１における下端部に位置することになる。【００９８】
また、上記中間線部１８の長さ方向における上記包持部１６を除いた両側には、上記縫着部２１を形成している。この縫着部２１は、シート状部材１２を二層構造としたとき、下端部に位置するため、下端縫着部２１と設定する。【００９９】
上記縫着部２１は、適宜、ステッチ、パイピング加工を施すことができる。このように上記縫着部２１にステッチなどを形成すれば、外面布１３と内面布１４とが互いに重合するよう折り畳み易いよう作用させることができる。【０１００】
シート状部材１２を二層構造としたとき、上記中間線部１８の線上に有する下端縫着部２１は、シート状部材１２の周方向における包持部１６の下端側に形成しておらず、殊に、上記肩係合部１５と上記包持部１６との間の下端部に形成されることになる（図３参照）。【０１０１】
本実施例におけるベビーキャリア１１は、上述したような形態により形成される。  
次に、上述した形態のベビーキャリア１１の製造方法の一例を図１４を用いて簡潔に説明する。  
（１）図１４（ａ）に示したように、編地により形成した１枚のシート状部材１２を、矩形（長方形状）に裁断する。  
（２）図１４（ｂ）に示したように、上記シート状部材１２の長手方向の両端部１２ｃ，１２ｄどうしを縫着し、該シート状部材１２を環状（筒状）にする。  
（３）図１４（ｃ）に示したように、上記シート状部材１２を、その幅方向（上下方向）の中間部線部１８で折り返す。具体的に、上記シート状部材１２の上下方向の下半分を上半分の内側へ折り返す。これにより、折り返し部分（折り目）は二層構造となったシート状部材１２の下端部に位置することになる。  
（４）図１４（ｄ）に示したように、上記シート状部材１２の折り返し部分の一部位を図中仮想線で示したカットラインＣに沿って裁断する。【０１０２】
（５）図１４（ｅ）に示したように、カットされた折り返し部分の一部位における外面布１３と内面布１４とを縫着する。【０１０３】
（６）図１４（ｆ）に示したように、上記シート状部材１２の開口縁部１２ａａ（上端部）に４つのタック形成部１７を形成する。【０１０４】
上記（１）から（６）の工程を経ることにより、本実施例のベビーキャリア１１を、形成することができる。【０１０５】
続いて、保護者が、上記図１に示したような「ゆりかご抱き」と称する装着方法によって上記ベビーキャリア１１を装着する手順について説明する。  
まず、保護者は、上記ベビーキャリア１１を、図１５に示したように、肩係合部１５が例えば、保護者の右肩に係合された状態で襷掛けする。【０１０６】
このように、保護者は、上記ベビーキャリア１１を、襷掛けするだけで容易に装着することができる。【０１０７】
そして、保護者は、まず、一方の腕で幼児を抱き上げておき、その間に、他方の腕で包持部１６におけるシート状部材１２を構成する外面布１３と内面布１４とにおける開口縁部１２ａａを互いに離間させる。【０１０８】
これにより、保護者は、上記包持部１６の上端部において開口部Ｂ（図２参照）を開口させることができ、該開口部Ｂを通じて乳幼児を上記図１に示したように上記包持部１６に収容することができる。【０１０９】
本実施例のベビーキャリア１１は、上述したように乳幼児を上記包持部１６に包持させたとき、以下のような作用、効果を奏することができる。【０１１０】
本実施例の包持部１６は、伸縮性（弾性）を有し、さらに、包持部１６の下端部には、下端縫着部２１を形成していない。このため、図１６に示したように、包持部１６を、乳幼児の体形に応じて湾曲変形させることができる。【０１１１】
よって、乳幼児の臀部などの身体部位は、包持部１６に密着した状態でぴたりと密着させることができる。従って、包持部１６内における乳幼児の安定性を確保することができ、包持部１６が伸縮するため、乳幼児が圧迫感を感じることもない。【０１１２】
しかも、開口部Ｂの開口縁部１２ａａには、タック形成部１７を形成している。このタック形成部１７を形成することにより、タック形成部１７を形成した部位には、縫い目が形成されることになる。この縫い目により開口縁部１２ａａの伸縮は、規制されることができる。【０１１３】
よって、開口縁部１２ａａにタック形成部１７を形成することにより、該開口縁部１２ａａの伸縮を規制することができるため、開口縁部１２ａａが不必要に伸張したり、弛緩したりしないよう、該開口縁部１２ａａの伸縮を規制することができる。【０１１４】
また、タック形成部１７を形成することにより、開口縁部１２ａａを絞ることになるため、開口縁部１２ａａの長さを短く形成することができる。よって、開口部Ｂの大きさを小さく留めておくことができる。【０１１５】
以上により、上記包持部１６は、伸縮性を有するが、乳幼児が開口縁部１２ａａに体重をかけても開口部Ｂが広がりすぎることがなく、開口部Ｂを通じて乳幼児が落下してしまうこともない。  
なお、乳幼児を上記包持部１６に対して出し入れする際には、開口部Ｂは、保護者によって意図的に広げられるため、容易に開口させることができる。【０１１６】
さらに、タック形成部１７を、本実施例のベビーキャリア１１のように、シート状部材１２の周方向における肩係合部１５と包持部１６との間に形成することにより、ベビーキャリア１１装着時に、殊に荷重がかかり易いこの間の部位の強度を補強することができ、ベビーキャリア１１全体が型崩れしないよう保つことができる。【０１１７】
従って、包持部１６の内部の乳幼児が、例えば、首部を屈曲しすぎたり、腹部が圧迫されすぎたりすることがない。【０１１８】
また、本実施例のベビーキャリア１１は、シート状部材１２を、伸縮性を有する一枚の面布で環状に形成し、さらに、保護者の前身頃と後身頃とのそれぞれに当接する形状で形成している。  
このため、ベビーキャリア１１は、保護者の身体に対して密着させた状態で、且つ、乳幼児が落下しないよう乳幼児の略全身を包み込むことができる。【０１１９】
さらに、乳幼児の体重により伸張した包持部１６の復元力（弾性力）により、保護者は、積極的に乳幼児を抱きかかえようとしなくても、乳幼児の身体を自らの身体に密着させることができる。【０１２０】
従って、保護者と乳幼児との一体性も増すことができるとともに、乳幼児を抱いたときの負担を極力、抑えることができる。【０１２１】
上述したように、外面布１３と内面布１４とが左右対称形状になるよう形成するとともに、上記下端縫着部２１によって、これら外面布１３と内面布１４とを縫着することにより、ベビーキャリアを１１製造する上での製造コスト、労力の効率化を図ることができる。【０１２２】
しかも、肩係合部１５に肩部縫着部２２を形成している。このため、ベビーキャリア１１製造時に、シート状部材１２における前身頃に相当する部位と、後身頃に相当する部位とを、同じ形状のシート状部材１２の構成部材で形成することができ、これらをまとめて形成することがでる。【０１２３】
従って、製造コスト、労力の効率化をより一層、図ることができる。【０１２４】
また、上述したとおり、上記下端縫着部２１は、上記シート状部材１２の下端部で形成され、上記開口縁部１２ａａの伸縮を規制する上記タック形成部１７は、上記シート状部材１２の上端部で形成されている。【０１２５】
さらに、上述したとおり、上記下端縫着部２１、及び、上記タック形成部１７は、いずれも上記シート状部材１２の周方向における上記肩係合部１５と上記包持部１６との間に形成されている。【０１２６】
このため、上記下端縫着部２１、及び、上記タック形成部１７は、上記シート状部材１２の周方向における上記肩係合部１５と上記包持部１６との間の強度を、この間の上下両端部からしっかりと補強することができる。【０１２７】
従って、ベビーキャリア１１装着時に、殊に荷重がかかり易く、しかも、幅小である、上記シート状部材１２の周方向における上記肩係合部１５と上記包持部１６との間が、過度に伸張したり、破損したりしてしまうことを阻止することができる。【０１２８】
また、ベビーキャリア１１は、水洗いする際において、シート状部材１２を、２枚の面布、１３，１４が互いに離間させた状態で水洗いすることができるため、衛生的である。また、シート状部材１２に、下端縫着部２１を形成することにより、水洗い完了後は、下端縫着部２１に従って容易に二層構造へと復元させることができる。【０１２９】
続いて、保護者の側からみたベビーキャリア１１の装着について説明する。  
上記肩係合部１５は、保護者の肩部に相当する幅を有して形成しているため、保護者の肩部に対して面接触状態に当接させることができるとともに、肩係合部１５におけるシート状部材１２も伸縮性を有している。このため、保護者は、ベビーキャリア１１を快適に装着することができる。【０１３０】
さらに、上記肩係合部１５には、図１の仮想線で示したように、肩パッド２３を取り付けてもよい。さらに、肩パッド２３は面ファスナなどの固定手段を用いて着脱式に形成してもよい。このように、肩パッド２３を取り付けることにより、上記肩係合部１５の上記肩部縫着部２２が肩部に対して局所的に当接してしまうことを防ぐことができる。【０１３１】
このため、保護者は、肩部に違和感を感じることなく、ベビーキャリア１１を、より快適に装着して用いることができる。【０１３２】
また、上記ベビーキャリア１１は、勿論、上述した「ゆりかご抱き」に限定せず、その他の装着方法によっても保護者に対して装着することができる。【０１３３】
例えば、図１７に示したように乳幼児が前方を向いた、いわゆる「前向き抱き」と称する抱き方によって保護者に対して装着することができる。或いは、図示しないが乳幼児が保護者に対面した状態のいわゆる「対面縦抱き」と称する抱き方によっても装着することができる。【０１３４】
従来のようなシート状に形成した包持部を有するベビーキャリアを保護者に対して上記「前向き抱き」、或いは、「対面縦抱き」による装着方法により装着した場合、保護者と乳幼児とが直接、対面し、その間にシート状部材１２を介さない取り付け形態となる。  
このため、乳幼児が包持部１６内で激しく動いた場合、乳幼児が保護者からズレ落ちたり、落下したりしてしまうおそれを有する。【０１３５】
これに対して、本実施例におけるベビーキャリア１１は、該ベビーキャリア１１を保護者に対して上記「前向き抱き」、「対面縦抱き」のいずれの装着方法で装着した場合であっても、乳児は、袋状の包持部１６に包み込まれた状態となるため、乳幼児の外側全体には、保護者と乳幼児との間も含めて包持部１６におけるシート状部材１２が存在することになる。  
このため、乳幼児が包持部１６内で激しく動いた場合であっても、包持部１６自体がズレ落ちたり、包持部１６から乳幼児が落下したりしてしまう事態を確実に防止することができる。【０１３６】
また、シート状部材１２は、伸縮性を有するため、包持部１６における乳幼児の接地部位は、乳幼児の自重に応じて伸張する。よって、仮に包持部１６内において乳幼児が立ち上がった場合でも、図１８に示したように、包持部１６における乳幼児の接地部位には、乳幼児の自重が集中的に作用することになる。【０１３７】
従って、袋状の包持部１６の深さが深くなるよう、シート状部材１２が伸張するため、幼児が落下してしまうこともなく、幼児の安全を保つことができる。【０１３８】
勿論、本実施例におけるベビーキャリア１１は、包持部１６におけるシート状部材１２を介さずに直接、保護者と乳幼児とを対面させた状態で取り付けることも可能である。【０１３９】
よって、以下では、上記「対面縦抱き」による装着方法において上述したように直接、保護者と乳幼児とを対面させた状態で本実施例におけるベビーキャリア１１を取り付ける手順について簡単に説明する。【０１４０】
まず、保護者は、上記図１５に示したようにベビーキャリア１１を襷掛けした状態で、乳幼児を例えば、左腕で抱え上げる。その間に右手で包持部１６におけるシート状部材１２の外面布１３と内面布１４との間を離間させずに、すなわち、包持部１６におけるシート状部材１２と保護者との間の空間を広げ、素早く乳幼児を保護者とシート状部材１２との間に介在させる。【０１４１】
さらに、保護者は、図１９に示したように、乳幼児の背部、及び、臀部に当接する包持部１６におけるシート状部材１２の皺などを伸張させることにより、図２０に示したように乳幼児を伸縮性に優れた上記シート状部材１２にぴたりと当接させた状態で支持することができる。【０１４２】
よって、本実施例におけるベビーキャリア１１の場合、上述したように、たとえシート状部材１２を介さずに、直接、乳幼児と保護者とを対接させた上記「対面縦抱き」によって乳幼児を抱きかかえる場合であっても、特に乳幼児の臀部が、シート状部材１２に対してフィットした状態で装着されるため、動作してもズレ落ちず落下してしまうこともない。また、乳幼児にとっても柔軟なシート状部材１２がフィットするため、良好な装着状態を得ることができる。【０１４３】
また、ベビーキャリア１１におけるシート状部材１２は、外面布１３と内面布１４との二層構造により形成しているため、１枚の面布により形成した従来のシート状部材１２と比較して、しっかりと乳幼児を保護することができる。【０１４４】
さらに、本実施例におけるベビーキャリア１１は、全体を上記シート状部材１２により形成しているため、例えば、従来のベビーキャリア１１のように、帯状に形成したベビーキャリア１１を環状に連結するための連結部材などといった別部材も必要とせず、また、包持部１６を蛇腹状に形成する必要もないため、折畳みが可能であり、折り畳んでも嵩張らないため、コンパクトに収納することができる。【０１４５】
また、本実施例におけるベビーキャリア１１は、上記シート状部材１２、或いは、外面布１３、内面布１４のいずれか一方の側の面布を、例えば、メッシュ地などのさらに通気性を有する素材で形成する、或いは、起毛状の生地を用いて形成してもよい。【０１４６】
また、上述の実施形態と、この発明の構成との対応において、この実施形態の
タック１７ａ，１７ｂ，１７ｃは、この発明の開口縁部１２ａａの伸縮を規制する伸縮規制手段に対応し、以下、同様に、
中間線部１８は、シート状部材の幅方向の中間部に対応し、
ナイロンは、伸縮性素材に対応し、
下端縫着部２１は、上記シート状部材の周方向における上記包持部と上記肩係合部との間の伸縮を規制する伸縮規制手段に対応し、
肩部縫着部２２は、縫着部に対応するも、この発明は、上述の実施形態の構成のみに限定されるものではなく、上述したように多くの実施の形態を得ることができる。
【産業上の利用可能性】
【０１４７】
この発明は、乳幼児製品の中でも、乳幼児を抱っこするために用いるベビーキャリアとして利用することができる。
【図１】
2007032130.tif 000002
【図２】
2007032130.tif 000003
【図３】
2007032130.tif 000004
【図４】
2007032130.tif 000005
【図５】
2007032130.tif 000006
【図６】
2007032130.tif 000007
【図７】
2007032130.tif 000008
【図８】
2007032130.tif 000009
【図９】
2007032130.tif 000010
【図１０】
2007032130.tif 000011
【図１１】
2007032130.tif 000012
【図１２】
2007032130.tif 000013
【図１３】
2007032130.tif 000014
【図１４】
2007032130.tif 000015
【図１５】
2007032130.tif 000016
【図１６】
2007032130.tif 000017
【図１７】
2007032130.tif 000018
【図１８】
2007032130.tif 000019
【図１９】
2007032130.tif 000020
【図２０】
2007032130.tif 000021
【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
全体が伸縮性を有する一枚のシート状部材で環状に形成し、
該シート状部材の幅方向の中間部において折り返して二層構造に形成して乳幼児が包持される包持部を具備し、
装着する人の肩部に係合可能な肩係合部を具備したベビーキャリアであって、
上記包持部の上端部に、上記包持部に対して乳幼児を出し入れ可能とする開口部を形成し、
上記開口部の開口縁部に、該開口縁部の伸縮を規制する伸縮規制手段を形成し、
且つ、上記シート状部材の周方向における上記包持部と上記肩係合部との間に、この間の伸縮を規制する伸縮規制手段を縫着部により形成した
ベビーキャリア。
【請求項２】
上記シート状部材の周方向における上記包持部と上記肩係合部との間が、上記包持部から上記肩係合部に向けて、徐々に幅小になるように形成した
請求項１に記載のベビーキャリア。
【請求項３】
上記開口縁部の伸縮を規制する上記伸縮規制手段を、上記シート状部材の周方向における上記肩係合部と上記包持部との間の上記開口縁部にタックの縫製によって形成した
請求項１又は請求項２に記載のベビーキャリア。
【請求項４】
上記開口縁部の長さを、上記シート状部材の周方向の長さよりも短く形成した
請求項３に記載のベビーキャリア。
【請求項５】
上記シート状部材における、装着する人の前身頃に相当する部位と、後身頃に相当する部位とを、互いに重合させたとき、面全体において互いに略一致する対称形状に形成した
請求項１から請求項４のいずれか一項に記載のベビーキャリア。
【請求項６】
上記シート状部材における上記肩係合部に、縫着部を形成し、
上記肩係合部に肩パッドを具備した
請求項１から請求項５のいずれか一項に記載のベビーキャリア。
【請求項７】
上記シート状部材を、編物により形成した
請求項１から請求項６のいずれか一項に記載のベビーキャリア。
【手続補正２】
【補正対象書類名】明細書
【補正対象項目名】全文
【補正方法】変更
【補正の内容】
【発明の詳細な説明】
【技術分野】
【０００１】
この発明は、乳幼児を抱っこするために用いる乳幼児用スリングとも称されるベビーキャリアに関する。
【背景技術】
【０００２】
上記ベビーキャリアは、乳幼児の成長、保護者の体格、或いは、使用用途などに応じて様々な取り付け形態で装着することができる。このように、利便性が高いことから、広く普及しつつある。  
最近では、従来の構成にさらに改良を加えたベビーキャリアに関する文献も開示されている。
【０００３】
例えば、下記特許文献１に係る「乳幼児用スリング」が開示されている。  
上記「乳幼児用スリング」の構成は、長さ方向の両端部が絞られた形態に全体を略紡錘状に形成している。上記乳幼児用スリングの長さ方向における両端部の間には、乳幼児を包み込む保護部を具備している。上記保護部は、蛇腹状に折り畳まれ、伸縮自在に形成している。さらに、上記長さ方向の両端部には、該両端部どうしを連結可能とする連結手段を形成している。
【０００４】
下記特許文献１によれば、上記保護部は、蛇腹状に形成されているため、その上に載せる乳幼児の体格、運動に応じて、該乳幼児を包み込める大きさに変動する旨の記載がされている。
【０００５】
ところが、下記特許文献１における乳幼児用スリングは、次のような問題点が考えられる。  
上記保護部は、蛇腹状に形成して伸縮自在に形成されているものの、長さ方向の両端部は、絞られた形態で連結されている。さらに、上記乳幼児用スリングは、保護部に対して、襷掛けにより装着されるが、乳幼児用スリングを襷掛けにより保護者に装着した場合、該乳幼児用スリングにおける、特に保護者の脇腹に相当する部位は、保護者の脇腹に対して密着することになる。
【０００６】
すなわち、上記保護部は、乳幼児用スリングの長さ方向における両端部の間に相当する長さを有して形成しているものの、実際には、保護者の身体に密着させて装着されているため、蛇腹状の保護部は、包み込む幼児のサイズに適した大きさまで充分、幅方向に広がらないこともあり、最悪、捩れてしまうおそれも有する。
【０００７】
従って、乳幼児が保護部に包み込まれた状態において、保護部の長さ方向における両側に位置する乳児の頭部、若しくは、脚部側が特に、圧迫されることが想定され、乳児、保護者の双方にとって、快適な状態を確保することができない。
【０００８】
また、このような保護部であれば乳幼児を充分に包み込むことができないため、乳幼児用スリングを装着した保護者が例えば、前屈みの姿勢となった場合など、乳幼児を上記乳幼児用スリングに安定して保持できないおそれを有する。
【０００９】
逆に、保護者の身体に対して密着しすぎることがないようにゆったりと装着した場合、保護部は、乳幼児の自重により蛇腹が伸びて下方に膨出した形態となる。  
このため、乳幼児は、下方に膨出した形態の保護部に包み込まれた場合、保護部の内部において、過度に首部や、腹部が屈曲した姿勢を強いられることになる。
【００１０】
また、保護者の身体に安定して取り付いていないため、保護者にとっても快適な装着状態とはいえない。
【００１１】
さらにまた、上記乳幼児用スリングは、例えば、「対面縦抱き」などの保護部が乳幼児の背面側（臀部、及び、背部）のみ包み込む抱き方、すなわち、乳幼児と保護者とは、保護部を介さずに直接、対面する抱き方で保護者に対して装着することができる。
【００１２】
すなわち、「対面縦抱き」などの抱き方の場合、保護者と乳幼児とは直接、接触することとなり、該保護者と乳幼児の間には、保護部を介さない抱き方になる。このため、保護者は、常に、幼児を自分の側へ密着させるよう抱きかかえておく必要があった。
【００１３】
また、他のベビーキャリアに関連するものとして下記特許文献２において「幼児を抱く帯」が開示されている。上記乳幼児を抱く帯は、内布と外布とを２重にして長さ方向の一部位で縫着して輪を形成している。さらに、上記輪には、上記２枚の布を束ねるリングを具備している。
【００１４】
上記幼児を抱く帯は、上記輪の周方向における、上記リングと上記縫着部との間の一方の側の部位を肩部に掛けるとともに、他方の側の部位により幼児を抱きかかえて用いられる。
【００１５】
下記特許文献２における幼児を抱く帯は、上述したように上記２枚の布を重合して形成することにより、積極的に幅広にすることができる。このため、乳幼児を安定して支えることができる。
【００１６】
しかし、上記輪は、２枚の布を用いることにより、その幅を広げ易くなるが、単に、上記２枚の布を重合した状態であるため、例えば、装着時に幼児が動いた場合などにおいて、該２枚の布が互いにずれた状態になるおそれも有する。
【００１７】
従って、逆に、乳幼児の安全面の観点から課題を有するといわざるを得ない。また、これに付随して、保護者は、少なくとも一方の腕で乳幼児を下側から支持する必要があり（特許文献２における図１参照）、抱き方によっては、上記２枚の布が互いにずれ易くなるため、抱き方が制限されてしまうといった課題も招来する。
【００１８】
【特許文献１】特開２００３−４７５４２号公報
【特許文献２】実開平５−２０６６５号公報
【発明の開示】
【発明が解決しようとする課題】
【００１９】
そこで本発明では、乳幼児の安全性を確保しつつ、保護者にとっても、乳幼児にとっても、快適に用いることのできるベビーキャリアの提供を目的とする。
【課題を解決するための手段】
【００２０】
請求項１における発明によれば、ベビーキャリアは、全体が伸縮性を有する一枚のシート状部材で環状に形成し、該シート状部材の幅方向の中間部において折り返して二層構造に形成して乳幼児が包持される包持部を具備し、装着する人の肩部に係合可能な肩係合部を具備したベビーキャリアであって、上記包持部を、伸縮性を有して形成し、上記包持部の上端部に、上記包持部に対して乳幼児を出し入れ可能とする開口部を形成し、上記開口部の開口縁部に、該開口縁部の伸縮を規制する伸縮規制手段を形成し、且つ、上記シート状部材の周方向における上記包持部と上記肩係合部との間に、この間の伸縮を規制する伸縮規制手段を縫着部により形成したことを特徴とする。
【００２１】
上記シート状部材を、伸縮性を有して形成するための一例として、上記シート状部材を、編物により形成することが挙げられる。
【００２２】
具体的に、上記シート状部材は、例えば、緯編み、デンビー編（トリコット）などの編み方をはじめ、他の伸縮性を確保できる形成方法により形成することができる。
【００２３】
このように、上記シート状部材を編物により形成すれば、仮に、伸縮性を有しない素材であっても、編物を構成する組織自体が伸縮性を有するため、シート状部材の伸縮性を確保することができる。
【００２４】
その他にも、上記シート状部材を、ゴムシートなど伸縮性の有する部材を用いて形成することが挙げられる。
【００２５】
このように、上記シート状部材を、伸縮性素材を用いて形成すれば、素材自体が伸縮するため、シート状部材の伸縮性を確保することができる。
【００２６】
なお、上記包持部、或いは、上記シート状部材の上端部とは、例えば、上記ベビーキャリアを、いわゆる「ゆりかご抱き」によって保護者に対して装着したとき、包持部の幅方向（上下方向）における上端側に相当する縁部を示す。
【００２７】
また、上記開口縁部の伸縮を規制する上記伸縮規制手段は、例えば、縫い目（縫着部）で形成することができる。
【００２８】
上記開口縁部に縫い目を形成することにより、この縫い目を形成した部位の伸縮を規制することができ、結果的に、上記開口縁部の伸縮を規制することができる。
【００２９】
この縫い目を形成するために用いる縫い糸には、伸縮性のある糸を用いても上記開口縁部の伸縮を規制できる。
【００３０】
このように、ナイロン糸など伸縮性のある糸を使用した場合、上記伸縮規制手段により規制しても、該規制した部位の糸は、適度に伸縮することにより、糸に作用する引張り力は吸収されるため、糸が切断してしまうことを阻止することができる。
【００３１】
上記縫い目を形成する際には、上記開口縁部に、後述するタック形状に形成した状態で縫い目を形成したり、プリーツを形成した状態で縫い目を形成したりしてもよい。
【００３２】
また、開口縁部に熱を付与して熱変形させることにより伸縮を規制する手段も含む。さらに、上記伸縮規制手段には、開口縁部にパイピング加工やステッチを施すことを含む。
【００３３】
請求項１における発明によれば、上記包持部は、伸縮性を有して形成しているため、乳幼児を包持したとき、乳幼児の体形、体格に応じて形状が伸縮する。このため、上記包持部は、乳幼児、及び、保護者の身体へ密着し、乳幼児が動いても安定して包み込むことができる。
【００３４】
さらに、上述した構成により、包持部の内部で乳幼児が立ち上がった場合であっても、包持部は、伸張し、包持部の内部の深さを深めることができる。このため、乳幼児が包持部の外側へ落ちないよう乳幼児を保護することができる。
【００３５】
しかも、上述した構成により、乳幼児は、包持部の内部において圧迫感を感じることがない。
【００３６】
また、装着した人は、包持部の内部の乳幼児を自らの身体に容易に密着させることができる。
【００３７】
このため、装着する人が乳幼児を抱いたときの負担を極力、抑えることができ、包持部内に収容した乳幼児の安定性も増すことができる。
【００３８】
しかも、開口部の開口縁部には、伸縮規制手段を形成している。このため、開口縁部が不必要に伸張したり、弛緩したりしないよう、開口縁部の伸縮を規制することができる。
【００３９】
従って、上記包持部は、伸縮性を有するが、開口部が開口しすぎることがないように保つことができ、開口部を通じて、乳幼児が落下してしまうこともない。
【００４０】
さらにこのベビーキャリアは、上記シート状部材を、伸縮性を有する一枚の面布で環状に形成し、該シート状部材の幅方向の中間部において折り返して、二層構造により形成する。
【００４１】
このようにシート状部材を、伸縮性を有する一枚の面布で環状に形成することにより、着脱の度にバックルなどの連結部材で連結したり、離間したりする必要がなく、襷掛けにより容易に装着することができる。
【００４２】
さらに、包持部に縫着部を形成せずに、シート状部材の幅方向の中間部を折り返して二層構造で形成しているため、上記縫着部によって上記包持部の伸縮が阻害されることがない。
【００４３】
従って、上記包持部を、乳幼児の体形に応じて柔軟に伸縮させることができ、包持部の内部の乳幼児の快適性を、より一層、増すことができる。
【００４４】
さらに、上記包持部により、乳幼児は、背面側からのみ包み込まれるのではなく、保護者と対面する間にもシート状部材が存在するため、この保護者と対面する側からも含めて包み込まれることになる。
【００４５】
このため、例えば、保護者と包持部との間から乳幼児がズレ落ちてしまうなどといった事態を防ぐことができる。
【００４６】
また、このベビーキャリアは、上記シート状部材の周方向における上記包持部と上記肩係合部との間に、この間の伸縮を規制する伸縮規制手段を縫着部により形成する。
【００４７】
このように、シート状部材の周方向における包持部と肩係合部との間の伸縮を規制する伸縮規制手段を形成することにより、襷掛けしたとき、殊に、荷重がかかり易い、この包持部と肩係合部との間の部位が伸張しすぎないよう規制することができる。これにより、包持部がズレ下がるなど、ベビーキャリアの型崩れしてしまうこと、或いは、破損してしまうことを防止することができる。
【００４８】
上記包持部と上記肩係合部との間の伸縮を規制する上記伸縮規制手段は、特に、シート状部材における上記包持部と上記肩係合部との間の上端部側（開口端部側）、及び、下端部側（シート状部材の幅方向の折り返し側）において形成すれば、この上下各端部の伸縮規制手段によって、さらにしっかりとシート状部材の伸縮を規制することができる。
【００４９】
ここで、上記開口縁部の伸縮を規制する上記伸縮規制手段を、上記シート状部材の周方向における上記肩係合部と上記包持部との間の上記開口縁部に形成することにより、開口縁部の伸縮を規制する上記伸縮規制手段は、シート状部材における上記包持部と上記肩係合部との間の伸縮を、この間の上端部側から規制することができる。
【００５０】
また、請求項２における発明によれば、ベビーキャリアは、上記シート状部材の周方向における上記包持部と上記肩係合部との間が、上記包持部から上記肩係合部に向けて、徐々に幅小になるように形成ことが好ましい。
【００５１】
このように形成すれば、肩係合部は、装着する人の肩部に対応した幅となるため、該肩部に掛け易くなり、良好な取り付け状態を得ることができる。また、外見上も、見栄えよく装着することができる。
【００５２】
また、シート状部材の周方向における包持部と肩係合部との間を、徐々に幅小に形成することにより、一部位にのみ集中的に荷重がかかることを回避することができる。
【００５３】
また、請求項４における発明によれば、ベビーキャリアは、上記開口縁部の長さを、上記シート状部材の周方向の長さよりも短く形成することが好ましい。
【００５４】
このように開口縁部の長さを上記シート状部材の周方向の長さよりも短く形成することで、包持部が伸張しても、開口部の大きさを小さく留めておくことができる。このため、包持部の内部の乳幼児を、開口部から落下しないよう包持することができる。
【００５５】
ここで、上記開口縁部の長さを、上記シート状部材の周方向の長さよりも短く形成するための好ましい構成として、例えば、上記開口縁部の伸縮を規制する上記伸縮規制手段を、タックの縫製によって形成することが挙げることができる。
【００５６】
さらに、上記開口縁部の所定部位を、谷折と山折を交互に繰り返して形成し、上記交互に折り返した部位を縫着することによりプリーツを形成しても、上記開口縁部の長さを、短く形成することができる。
【００５７】
その他にも、テープ、ベルト、ゴム紐などの長尺部材、バックル、ホック、スナップ、面ファスナ、スライドファスナ、ボタンなどの固定手段、或いは、これらを組み合わせたものを具備して構成することができる。
【００５８】
上記開口縁部の伸縮を規制する上記伸縮規制手段を、上述したようにタックの縫製、或いは、プリーツの縫製により形成すれば、シート状部材の周方向の長さを短くした状態に留めておくことができるとともに、該開口縁部の伸縮を規制することもできる。
【００５９】
さらに、上記伸縮規制手段を、タックの縫製、或いは、プリーツの縫製により形成すれば、伸縮を規制するための別部材を具備することもなく、開口縁部の一部位を基本的に縫着するだけで容易に形成することができる。
【００６０】
また、請求項５における発明によれば、上記ベビーキャリアは、上記シート状部材における、装着する人の前身頃に相当する部位と、後身頃に相当する部位とを、互いに重合させたとき、面全体において互いに略一致する対称形状に形成することもできる。
【００６１】
このように形成すれば、装着した人の前身頃と後身頃との各部に密着させることができる。これにより、包持部に収容した乳幼児の安定性も向上することになる。
【００６２】
また、請求項６における発明によれば、ベビーキャリアは、上記シート状部材における上記肩係合部に、縫着部を形成し、上記肩係合部に肩パッドを具備することが好ましい。
【００６３】
このように上記シート状部材における上記肩係合部に、縫着部を形成することにより、肩係合部が不必要に伸縮しないよう規制することができる。また、殊に荷重を受け易い肩係合部を補強することができる。
【００６４】
しかも、ベビーキャリア製造時に、平面状の上記シート状部材を環状にするが、その時に、上記シート状部材を肩係合部において縫着することにより、環状とすることができる。
【００６５】
このように肩係合部において縫着部を形成することで、シート状部材における前身頃に相当する部位と、後身頃に相当する部位とは、互いに一致するよう形成することができ、共通のシート状部材の構成部材で形成することができる。
【００６６】
従って、製造コスト、労力の効率化を図ることができる。
【００６７】
また、肩係合部に縫着部を形成しても、肩パッドを具備することにより、肩部に肩係合部を係合したとき、縫着部が局所的に肩部に当接して装着した人に違和感を与えることがなく、装着時の快適性を確保することができる。
【図面の簡単な説明】
【００６８】
【図１】本実施例におけるベビーキャリアを装着した状態を示す外観図。
【図２】本実施例におけるベビーキャリアの外観図。
【図３】本実施例におけるベビーキャリアの正面図。
【図４】本実施例におけるベビーキャリアの右面図。
【図５】本実施例におけるベビーキャリアの左面図。
【図６】本実施例におけるベビーキャリアの平面図。
【図７】本実施例におけるベビーキャリアの底面図。
【図８】図３のＸ−Ｘ端面図。
【図９】図３のＹ−Ｙ端面図。
【図１０】本実施例におけるベビーキャリアを展開させた状態の正面図。
【図１１】本実施例におけるベビーキャリアを展開させた状態の右側面図。
【図１２】本実施例におけるベビーキャリアを展開させた状態の平面図。
【図１３】本実施例におけるベビーキャリアを展開させた状態の底面図。
【図１４】本実施例におけるベビーキャリアの製造方法の説明図。
【図１５】本実施例におけるベビーキャリアを襷掛けした状態を示す外観図。
【図１６】本実施例におけるベビーキャリアの使用説明図。
【図１７】本実施例におけるベビーキャリアの使用説明図。
【図１８】本実施例におけるベビーキャリアの作用説明図。
【図１９】本実施例におけるベビーキャリアの使用説明図。
【図２０】本実施例におけるベビーキャリアの使用説明図。
【符号の説明】
【００６９】
１１    ベビーキャリア
１２    シート状部材
１３    外面布
１４    内面布
１５    肩係合部
１６    包持部
１７ａ，１７ｂ，１７ｃ    タック
１２ａａ    開口縁部（上端縁部）
２１    下端縫着部
２２    肩部縫着部
２３    肩パッド
Ｂ    開口部
【発明を実施するための最良の形態】
【００７０】
この発明の一実施形態を、以下図面を用いて説明する。  
図１は、本実施例におけるベビーキャリア１１を、いわゆる「ゆりかご抱き」と称する抱き方によって保護者に対して装着している様子を示す。
【００７１】
上記図１に示すベビーキャリア１１は、全体をシート状部材１２により形成しているが、このシート状部材１２は、面布どうしを重合させた二層構造により形成している。ここで、図２に示したように、上記シート状部材１２における外側に有する側の面布を外面布１３に設定するとともに、内側に有する側の面布を内面布１４に設定する。
【００７２】
上記シート状部材１２は、伸縮性や弾力性に富むナイロンと、肌触りが良好な綿とを組み合わせて形成した編物である。
【００７３】
なお、ベビーキャリア１１製造時に、このナイロンと綿とは、これらが繊維状（フィラメント状）の段階で、或いは、糸状とした段階で互いに組み合わせることができる。
【００７４】
上述したように、上記シート状部材１２は、ナイロンを素材に用い、面全体を編地で形成しているため、優れた伸縮性を発揮することができる。
【００７５】
このように、上記シート状部材１２は、優れた伸縮性を有して形成できるのであれば、例えば、ポリウレタン弾性糸など他の伸縮性に優れた繊維、糸を用いて形成してもよい。
【００７６】
また、上記シート状部材１２は、例えば、丸編などの緯編み、デンビー編（トリコット）、ラッセルレースなどの経編、ゴム編（リブ編）などの編み方をはじめ、他の伸縮性を確保できる形成方法により形成することができる。
【００７７】
さらにまた、上記シート状部材１２は、上述したように綿を素材として用いる他にも、例えば、カシミア、ウール、シルクなど他の肌触りのよい素材を用いて形成してもよい。
【００７８】
また、上記ベビーキャリア１１は、上記図２に示したように、環状（筒状）の形態により形成している。すなわち、上記ベビーキャリア１１は、環状の形態をしたベビーキャリア１１の軸方向における中央部には、保護者が襷掛けが可能とする装着用貫通口Ａを有している。
【００７９】
さらに、上記ベビーキャリア１１は、図３から図７に示したように、周方向における一部位を、保護者の左右いずれか一方の肩部に係合可能な幅を有した肩係合部１５を具備している。  
ちなみに、図３から図７は、それぞれ、ベビーキャリア１１における上記装着用貫通口Ａに対して両側で対向する部位を互いに面接触させたときの正面図、右側面図、左側面図、平面図、底面図である。  
なお、ベビーキャリア１１の背面図は、正面図と対称にあらわれるため、省略する。
【００８０】
さらにまた、上記ベビーキャリア１１は、その周方向における、該ベビーキャリア１１を保護者に襷掛けしたとき、保護者の前身頃、及び、後身頃に相当する各部位に、乳幼児を包持可能な包持部１６を具備している。
【００８１】
上記ベビーキャリア１１の周方向における上記肩係合部１５と上記包持部１６との間は、上記図３に示したように、上記包持部１６から上記肩係合部１５へ向けて徐々に幅小になるよう形成している。
【００８２】
上記ベビーキャリア１１は、保護者が襷掛けしたとき、上記包持部１６の上端部に、乳幼児を上記包持部１６に対して出し入れ可能な開口部Ｂを開口可能に形成している（図２参照）。
【００８３】
すなわち、保護者が上記ベビーキャリア１１を、図１に示したように「ゆりかご抱き」で装着したとき、上記包持部１６の上端側に位置する上端縁部が、開口部Ｂの開口縁部１２ａａとなる部位である。
【００８４】
さらに、上記ベビーキャリア１１の周方向における上記肩係合部１５と上記包持部１６との間の上記開口縁部１２ａａには、図３、及び、図４における要部拡大図に示したようにタック形成部１７を構成している。
【００８５】
上記タック形成部１７は、上記シート状部材１２における保護者の前身頃に相当する部位と後身頃に相当する部位とのそれぞれの外面布１３と内面布１４に形成され、開口縁部１２ａａに合計４箇所に形成されている。各タック形成部１７は、３つのタック１７ａ，１７ｂ，１７ｃから成る。
【００８６】
また、上記シート状部材１２には、図８、及び、図９に示したように、各タック１７ａ，１７ｂ，１７ｃに相当する部位が溝状に形成され、上記包持部１６全体が乳幼児を包持し易い立体形状になるよう弛緩させて形成することができる。
【００８７】
なお、図８は、図３のＸ−Ｘ端面図を示し、図９は、図３のＹ−Ｙ端面図を示す。
【００８８】
上記タック１７ａ，１７ｂ，１７ｃは、開口縁部１２ａａにおいて、その一部を抓み、その抓んだ部位は、その周縁に重合させた状態で縫着することにより形成している（図１１の要部拡大図参照）。
【００８９】
このように、開口縁部は、絞られるため、上記開口縁部の長さは、上記シート状部材の周方向の下端側の長さよりも短く形成されることとなる。
【００９０】
但し、上記開口縁部１２ａａには、上記タック１７ａ，１７ｂ，１７ｃに限らず、その他にもテープ、ベルト、ゴム紐などの長尺部材、バックル、ホック、スナップ、面ファスナ、スライドファスナ、ボタンなどの固定手段、或いは、これらを組み合わせたものを具備することができる。さらには、開口縁部１２ａａを熱を付与して熱変形させてもよい。さらにまた、開口縁部１２ａａを折畳み、或いは、伸張可能に谷折と山折とを交互に繰り返して形成したプリーツ形状で形成してもよい。このように、開口部が不必要に大きくならないよう開口縁部１２ａａには、その伸縮を規制することができる手段を具備することができる。
【００９１】
続いて、二層構造のシート状部材１２を一層構造へ展開させたとき、すなわち、互いに重合する外面布１３と内面布１４とを互いに離間させたときの形態をもとに、上記ベビーキャリア１１の形態について図１０から図１３を用いて説明する。
【００９２】
なお、図１０は、ベビーキャリア１１を展開させた状態における正面図、及び、背面図を示し、図１１、図１２、図１３はそれぞれ、上記ベビーキャリア１１の右側面図、平面図、底面図を示す。ベビーキャリア１１の左側面図は、右側面図と同様にあらわれるため、省略する。
【００９３】
すなわち、ベビーキャリア１１は、シート状部材１２を二層構造から一層構造へ展開させたとき、上下方向へ伸びる中間線部１８に対して上記外面布１３と上記内面布１４とが左右対称になる形態となる。
【００９４】
シート状部材１２は、縫製前の工程においては、図示しないが当然、平面状の形態をしており、その長さ方向の両端部どうしを縫着して肩部縫着部２２を形成し、図１０、及び、図１２に示したような環状に形成している。この上記肩部縫着部２２は、シート状部材１２の同方向における肩係合部１５に位置する部位に形成している。
【００９５】
また、シート状部材１２は、上記中間線部１８に対して上記内面布１４を上記外面布１３の内側へ折り込み可能に形成している。
【００９６】
ちなみに、ベビーキャリア１１は、上述したように中間線部１８に対して両側に有する面布のうち、いずれの側の面布を他方の側の面布の内側に織り込んだ場合であっても、同一の形態を採る二層構造を構成することができる。このようにして、二層構造としたとき、環状の形態を採るベビーキャリア１１における外周側に位置する面布が上記外面布１３に相当し、内周側に位置する面布が上記内面布１４に相当することになる。
【００９７】
さらに、上記シート状部材１２における中間線部１８は、上記外面布１３と内面布１４とを上述したように互いに重合させたとき、ベビーキャリア１１における下端部に位置することになる。
【００９８】
また、上記中間線部１８の長さ方向における上記包持部１６を除いた両側には、上記縫着部２１を形成している。この縫着部２１は、シート状部材１２を二層構造としたとき、下端部に位置するため、下端縫着部２１と設定する。
【００９９】
上記縫着部２１は、適宜、ステッチ、パイピング加工を施すことができる。このように上記縫着部２１にステッチなどを形成すれば、外面布１３と内面布１４とが互いに重合するよう折り畳み易いよう作用させることができる。
【０１００】
シート状部材１２を二層構造としたとき、上記中間線部１８の線上に有する下端縫着部２１は、シート状部材１２の周方向における包持部１６の下端側に形成しておらず、殊に、上記肩係合部１５と上記包持部１６との間の下端部に形成されることになる（図３参照）。
【０１０１】
本実施例におけるベビーキャリア１１は、上述したような形態により形成される。  
次に、上述した形態のベビーキャリア１１の製造方法の一例を図１４を用いて簡潔に説明する。  
（１）図１４（ａ）に示したように、編地により形成した１枚のシート状部材１２を、矩形（長方形状）に裁断する。  
（２）図１４（ｂ）に示したように、上記シート状部材１２の長手方向の両端部１２ｃ，１２ｄどうしを縫着し、該シート状部材１２を環状（筒状）にする。  
（３）図１４（ｃ）に示したように、上記シート状部材１２を、その幅方向（上下方向）の中間部線部１８で折り返す。具体的に、上記シート状部材１２の上下方向の下半分を上半分の内側へ折り返す。これにより、折り返し部分（折り目）は二層構造となったシート状部材１２の下端部に位置することになる。  
（４）図１４（ｄ）に示したように、上記シート状部材１２の折り返し部分の一部位を図中仮想線で示したカットラインＣに沿って裁断する。
【０１０２】
（５）図１４（ｅ）に示したように、カットされた折り返し部分の一部位における外面布１３と内面布１４とを縫着する。
【０１０３】
（６）図１４（ｆ）に示したように、上記シート状部材１２の開口縁部１２ａａ（上端部）に４つのタック形成部１７を形成する。
【０１０４】
上記（１）から（６）の工程を経ることにより、本実施例のベビーキャリア１１を、形成することができる。
【０１０５】
続いて、保護者が、上記図１に示したような「ゆりかご抱き」と称する装着方法によって上記ベビーキャリア１１を装着する手順について説明する。  
まず、保護者は、上記ベビーキャリア１１を、図１５に示したように、肩係合部１５が例えば、保護者の右肩に係合された状態で襷掛けする。
【０１０６】
このように、保護者は、上記ベビーキャリア１１を、襷掛けするだけで容易に装着することができる。
【０１０７】
そして、保護者は、まず、一方の腕で幼児を抱き上げておき、その間に、他方の腕で包持部１６におけるシート状部材１２を構成する外面布１３と内面布１４とにおける開口縁部１２ａａを互いに離間させる。
【０１０８】
これにより、保護者は、上記包持部１６の上端部において開口部Ｂ（図２参照）を開口させることができ、該開口部Ｂを通じて乳幼児を上記図１に示したように上記包持部１６に収容することができる。
【０１０９】
本実施例のベビーキャリア１１は、上述したように乳幼児を上記包持部１６に包持させたとき、以下のような作用、効果を奏することができる。
【０１１０】
本実施例の包持部１６は、伸縮性（弾性）を有し、さらに、包持部１６の下端部には、下端縫着部２１を形成していない。このため、図１６に示したように、包持部１６を、乳幼児の体形に応じて湾曲変形させることができる。
【０１１１】
よって、乳幼児の臀部などの身体部位は、包持部１６に密着した状態でぴたりと密着させることができる。従って、包持部１６内における乳幼児の安定性を確保することができ、包持部１６が伸縮するため、乳幼児が圧迫感を感じることもない。
【０１１２】
しかも、開口部Ｂの開口縁部１２ａａには、タック形成部１７を形成している。このタック形成部１７を形成することにより、タック形成部１７を形成した部位には、縫い目が形成されることになる。この縫い目により開口縁部１２ａａの伸縮は、規制されることができる。
【０１１３】
よって、開口縁部１２ａａにタック形成部１７を形成することにより、該開口縁部１２ａａの伸縮を規制することができるため、開口縁部１２ａａが不必要に伸張したり、弛緩したりしないよう、該開口縁部１２ａａの伸縮を規制することができる。
【０１１４】
また、タック形成部１７を形成することにより、開口縁部１２ａａを絞ることになるため、開口縁部１２ａａの長さを短く形成することができる。よって、開口部Ｂの大きさを小さく留めておくことができる。
【０１１５】
以上により、上記包持部１６は、伸縮性を有するが、乳幼児が開口縁部１２ａａに体重をかけても開口部Ｂが広がりすぎることがなく、開口部Ｂを通じて乳幼児が落下してしまうこともない。  
なお、乳幼児を上記包持部１６に対して出し入れする際には、開口部Ｂは、保護者によって意図的に広げられるため、容易に開口させることができる。
【０１１６】
さらに、タック形成部１７を、本実施例のベビーキャリア１１のように、シート状部材１２の周方向における肩係合部１５と包持部１６との間に形成することにより、ベビーキャリア１１装着時に、殊に荷重がかかり易いこの間の部位の強度を補強することができ、ベビーキャリア１１全体が型崩れしないよう保つことができる。
【０１１７】
従って、包持部１６の内部の乳幼児が、例えば、首部を屈曲しすぎたり、腹部が圧迫されすぎたりすることがない。
【０１１８】
また、本実施例のベビーキャリア１１は、シート状部材１２を、伸縮性を有する一枚の面布で環状に形成し、さらに、保護者の前身頃と後身頃とのそれぞれに当接する形状で形成している。  
このため、ベビーキャリア１１は、保護者の身体に対して密着させた状態で、且つ、乳幼児が落下しないよう乳幼児の略全身を包み込むことができる。
【０１１９】
さらに、乳幼児の体重により伸張した包持部１６の復元力（弾性力）により、保護者は、積極的に乳幼児を抱きかかえようとしなくても、乳幼児の身体を自らの身体に密着させることができる。
【０１２０】
従って、保護者と乳幼児との一体性も増すことができるとともに、乳幼児を抱いたときの負担を極力、抑えることができる。
【０１２１】
上述したように、外面布１３と内面布１４とが左右対称形状になるよう形成するとともに、上記下端縫着部２１によって、これら外面布１３と内面布１４とを縫着することにより、ベビーキャリアを１１製造する上での製造コスト、労力の効率化を図ることができる。
【０１２２】
しかも、肩係合部１５に肩部縫着部２２を形成している。このため、ベビーキャリア１１製造時に、シート状部材１２における前身頃に相当する部位と、後身頃に相当する部位とを、同じ形状のシート状部材１２の構成部材で形成することができ、これらをまとめて形成することがでる。
【０１２３】
従って、製造コスト、労力の効率化をより一層、図ることができる。
【０１２４】
また、上述したとおり、上記下端縫着部２１は、上記シート状部材１２の下端部で形成され、上記開口縁部１２ａａの伸縮を規制する上記タック形成部１７は、上記シート状部材１２の上端部で形成されている。
【０１２５】
さらに、上述したとおり、上記下端縫着部２１、及び、上記タック形成部１７は、いずれも上記シート状部材１２の周方向における上記肩係合部１５と上記包持部１６との間に形成されている。
【０１２６】
このため、上記下端縫着部２１、及び、上記タック形成部１７は、上記シート状部材１２の周方向における上記肩係合部１５と上記包持部１６との間の強度を、この間の上下両端部からしっかりと補強することができる。
【０１２７】
従って、ベビーキャリア１１装着時に、殊に荷重がかかり易く、しかも、幅小である、上記シート状部材１２の周方向における上記肩係合部１５と上記包持部１６との間が、過度に伸張したり、破損したりしてしまうことを阻止することができる。
【０１２８】
また、ベビーキャリア１１は、水洗いする際において、シート状部材１２を、２枚の面布、１３，１４が互いに離間させた状態で水洗いすることができるため、衛生的である。また、シート状部材１２に、下端縫着部２１を形成することにより、水洗い完了後は、下端縫着部２１に従って容易に二層構造へと復元させることができる。
【０１２９】
続いて、保護者の側からみたベビーキャリア１１の装着について説明する。  
上記肩係合部１５は、保護者の肩部に相当する幅を有して形成しているため、保護者の肩部に対して面接触状態に当接させることができるとともに、肩係合部１５におけるシート状部材１２も伸縮性を有している。このため、保護者は、ベビーキャリア１１を快適に装着することができる。
【０１３０】
さらに、上記肩係合部１５には、図１の仮想線で示したように、肩パッド２３を取り付けてもよい。さらに、肩パッド２３は面ファスナなどの固定手段を用いて着脱式に形成してもよい。このように、肩パッド２３を取り付けることにより、上記肩係合部１５の上記肩部縫着部２２が肩部に対して局所的に当接してしまうことを防ぐことができる。
【０１３１】
このため、保護者は、肩部に違和感を感じることなく、ベビーキャリア１１を、より快適に装着して用いることができる。
【０１３２】
また、上記ベビーキャリア１１は、勿論、上述した「ゆりかご抱き」に限定せず、その他の装着方法によっても保護者に対して装着することができる。
【０１３３】
例えば、図１７に示したように乳幼児が前方を向いた、いわゆる「前向き抱き」と称する抱き方によって保護者に対して装着することができる。或いは、図示しないが乳幼児が保護者に対面した状態のいわゆる「対面縦抱き」と称する抱き方によっても装着することができる。
【０１３４】
従来のようなシート状に形成した包持部を有するベビーキャリアを保護者に対して上記「前向き抱き」、或いは、「対面縦抱き」による装着方法により装着した場合、保護者と乳幼児とが直接、対面し、その間にシート状部材１２を介さない取り付け形態となる。  
このため、乳幼児が包持部１６内で激しく動いた場合、乳幼児が保護者からズレ落ちたり、落下したりしてしまうおそれを有する。
【０１３５】
これに対して、本実施例におけるベビーキャリア１１は、該ベビーキャリア１１を保護者に対して上記「前向き抱き」、「対面縦抱き」のいずれの装着方法で装着した場合であっても、乳児は、袋状の包持部１６に包み込まれた状態となるため、乳幼児の外側全体には、保護者と乳幼児との間も含めて包持部１６におけるシート状部材１２が存在することになる。  
このため、乳幼児が包持部１６内で激しく動いた場合であっても、包持部１６自体がズレ落ちたり、包持部１６から乳幼児が落下したりしてしまう事態を確実に防止することができる。
【０１３６】
また、シート状部材１２は、伸縮性を有するため、包持部１６における乳幼児の接地部位は、乳幼児の自重に応じて伸張する。よって、仮に包持部１６内において乳幼児が立ち上がった場合でも、図１８に示したように、包持部１６における乳幼児の接地部位には、乳幼児の自重が集中的に作用することになる。
【０１３７】
従って、袋状の包持部１６の深さが深くなるよう、シート状部材１２が伸張するため、幼児が落下してしまうこともなく、幼児の安全を保つことができる。
【０１３８】
勿論、本実施例におけるベビーキャリア１１は、包持部１６におけるシート状部材１２を介さずに直接、保護者と乳幼児とを対面させた状態で取り付けることも可能である。
【０１３９】
よって、以下では、上記「対面縦抱き」による装着方法において上述したように直接、保護者と乳幼児とを対面させた状態で本実施例におけるベビーキャリア１１を取り付ける手順について簡単に説明する。
【０１４０】
まず、保護者は、上記図１５に示したようにベビーキャリア１１を襷掛けした状態で、乳幼児を例えば、左腕で抱え上げる。その間に右手で包持部１６におけるシート状部材１２の外面布１３と内面布１４との間を離間させずに、すなわち、包持部１６におけるシート状部材１２と保護者との間の空間を広げ、素早く乳幼児を保護者とシート状部材１２との間に介在させる。
【０１４１】
さらに、保護者は、図１９に示したように、乳幼児の背部、及び、臀部に当接する包持部１６におけるシート状部材１２の皺などを伸張させることにより、図２０に示したように乳幼児を伸縮性に優れた上記シート状部材１２にぴたりと当接させた状態で支持することができる。
【０１４２】
よって、本実施例におけるベビーキャリア１１の場合、上述したように、たとえシート状部材１２を介さずに、直接、乳幼児と保護者とを対接させた上記「対面縦抱き」によって乳幼児を抱きかかえる場合であっても、特に乳幼児の臀部が、シート状部材１２に対してフィットした状態で装着されるため、動作してもズレ落ちず落下してしまうこともない。また、乳幼児にとっても柔軟なシート状部材１２がフィットするため、良好な装着状態を得ることができる。
【０１４３】
また、ベビーキャリア１１におけるシート状部材１２は、外面布１３と内面布１４との二層構造により形成しているため、１枚の面布により形成した従来のシート状部材１２と比較して、しっかりと乳幼児を保護することができる。
【０１４４】
さらに、本実施例におけるベビーキャリア１１は、全体を上記シート状部材１２により形成しているため、例えば、従来のベビーキャリア１１のように、帯状に形成したベビーキャリア１１を環状に連結するための連結部材などといった別部材も必要とせず、また、包持部１６を蛇腹状に形成する必要もないため、折畳みが可能であり、折り畳んでも嵩張らないため、コンパクトに収納することができる。
【０１４５】
また、本実施例におけるベビーキャリア１１は、上記シート状部材１２、或いは、外面布１３、内面布１４のいずれか一方の側の面布を、例えば、メッシュ地などのさらに通気性を有する素材で形成する、或いは、起毛状の生地を用いて形成してもよい。
【０１４６】
また、上述の実施形態と、この発明の構成との対応において、この実施形態の
タック１７ａ，１７ｂ，１７ｃは、この発明の開口縁部１２ａａの伸縮を規制する伸縮規制手段に対応し、以下、同様に、
中間線部１８は、シート状部材の幅方向の中間部に対応し、
ナイロンは、伸縮性素材に対応し、
下端縫着部２１は、上記シート状部材の周方向における上記包持部と上記肩係合部との間の伸縮を規制する伸縮規制手段に対応し、
肩部縫着部２２は、縫着部に対応するも、この発明は、上述の実施形態の構成のみに限定されるものではなく、上述したように多くの実施の形態を得ることができる。
【産業上の利用可能性】
【０１４７】
この発明は、乳幼児製品の中でも、乳幼児を抱っこするために用いるベビーキャリアとして利用することができる。
【国際調査報告】
2007032130.tif 000022
2007032130.tif 000023
2007032130.tif 000024
2007032130.tif 000025